(57)【要約】【課題】  箱状フレームを２段に積み重ねた状態でも下段の箱状フレームに収納された機器の交換が可能な高圧受電設備用フレームを提供する。【解決手段】  棒状部材５を連結して四角形の底枠２と天枠３が形成され、この底枠２と天枠３の４隅同士を更に縦配置した棒状部材５で連結して形成した直方体形状の箱状フレーム１内に高圧受電設備が組み付けられており、底枠２の４隅及び天枠３の４隅はそれぞれコーナー金具６が配置されて、このコーナー金具６の外側に対して個々の棒状部材５の端部が取り外し可能に連結されている。【選択図】  図５
2019068689.tif 000002
【特許請求の範囲】
【請求項１】
棒状部材を連結して四角形の底枠と天枠を形成し、この底枠と天枠の４隅の間を更に縦配置した棒状部材で連結して箱状フレームを形成し、当該箱状フレーム内に高圧受電設備の組み付けを可能とした高圧受電設備用フレームであって、
前記底枠の４隅及び前記天枠の４隅は、それぞれコーナー金具が配置されて、このコーナー金具の外側に対して個々の前記棒状部材の端部が取り外し可能に連結されて成されることを特徴とする高圧受電設備用フレーム。
【請求項２】
前記コーナー金具が３方から配設された前記棒状部材をそれぞれ独立して連結する連結面を有し、
各棒状部材は、重なることなく前記コーナー金具に連結手段を介して連結されて成ることを特徴とする請求項１記載の高圧受電設備用フレーム。
【請求項３】
前記棒状部材を前記コーナー金具に連結する前記連結手段の一部は、重ねた箱状フレーム同士を連結するフレーム連結手段でもあることを特徴とする請求項２記載の高圧受電設備用フレーム。
【発明の詳細な説明】
【技術分野】
【０００１】
本発明は、室内に高圧受電設備を収容する際に設備機器を組み付けて収容するための高圧受電設備用フレームに関する。
【背景技術】
【０００２】
従来より、集合住宅等の電力需要の大きな建物では、高圧一括受電して低圧に変換した電力を個々の住戸に供給している。その場合、建屋の１室を電気室にして高圧を低圧に変換するための高圧受電設備を収容しているが、電気室は広さが限られているためアングル材で箱状に作製した箱状フレームの中に設備機器を組み付けて収容することで、狭いスペースでの受電設備の収容を可能とした。
例えば、特許文献１では、箱状の２つの箱状フレームを重ねて２段に配置し、それぞれの内部に変圧器や遮断器を収容した。
【先行技術文献】
【特許文献】
【０００３】
【特許文献１】特開２０１６−９６６９９号公報
【発明の概要】
【発明が解決しようとする課題】
【０００４】
しかしながら、劣化等で機器を交換する必要が発生した場合、箱状フレーム内に組み付けた機器の交換は、狭いスペースに配置されているし高圧電路も近いため難しかった。特に下段の箱状フレームに収納された機器の交換は、上段の箱状フレームが障害となり難しく、上段の箱状フレームを分離して降ろして作業しなければならなかった。
【０００５】
そこで、本発明はこのような問題点に鑑み、箱状フレームを２段に重ねた状態でも下段の箱状フレームに収納された機器の交換が可能な高圧受電設備用フレームを提供することを目的としている。
【課題を解決するための手段】
【０００６】
上記課題を解決する為に、請求項１の発明は、棒状部材を連結して四角形の底枠と天枠を形成し、この底枠と天枠の４隅の間を更に縦配置した棒状部材で連結して直方体形状の箱状フレームを形成し、当該箱状フレーム内に高圧受電設備の組み付けを可能とした高圧受電設備用フレームであって、底枠の４隅及び天枠の４隅は、それぞれコーナー金具が配置されて、このコーナー金具の外側に対して個々の棒状部材の端部が取り外し可能に連結されて成されることを特徴とする。
この構成によれば、棒状部材はコーナー金具の外側に取り外し可能に連結されているため、高圧受電設備を収容した状態でも棒状部材の取り外しが可能である。そのため、箱状フレーム内に収容した設備機器の交換を行う際に邪魔になる棒状部材があったら、その棒状部材を取り外して作業することが可能であり、上段の箱状フレームを分離する面倒な作業をしなくても交換が可能となる。
【０００７】
請求項２の発明は、請求項１に記載の構成において、コーナー金具が３方から配設された棒状部材をそれぞれ独立して連結する連結面を有し、各棒状部材は、重なることなくコーナー金具に連結手段を介して連結されて成ることを特徴とする。
この構成によれば、コーナー金具に対して連結した棒状部材同士は重ならないため、何れの棒状部材も容易に取り外すことができるし、コーナー金具の各連結部の厚みを均一にでき、箱状フレームを安定した状態で重ねることができる。
【０００８】
請求項３の発明は、請求項２に記載の構成において、棒状部材をコーナー金具に連結する連結手段の一部は、重ねた箱状フレーム同士を連結するフレーム連結手段でもあることを特徴とする。
この構成によれば、箱状フレームを重ねた際に箱状フレーム同士の連結を棒状部材の連結と合わせて実施できるため、別途箱状フレーム連結のための連結部材が必要なく、容易に連結できる。
【発明の効果】
【０００９】
本発明によれば、棒状部材はコーナー金具の外側に取り外し可能に連結されているため、高圧受電設備を収容した状態でも棒状部材の取り外しが可能である。そのため、箱状フレーム内に収容した設備機器の交換を行う際に邪魔になる棒状部材があったら、その棒状部材を取り外して作業することが可能であり、上段の箱状フレームを分離する面倒な作業をしなくても交換が可能となる。
【図面の簡単な説明】
【００１０】
【図１】本発明に係る高圧受電設備用フレームの一例を示し、（ａ）は受電設備を収容した正面図、（ｂ）は右側面図であり、何れも２段に積み重ねた状態を示している。
【図２】Ａ部拡大図を示し、（ａ）は正面図、（ｂ）は箱状フレーム内部から見た斜視図である。
【図３】コーナー金具を示し、（ａ）は斜視図、（ｂ）はコーナー金具に棒状部材を配置した説明図である。
【図４】コーナー金具に棒状部材を連結した状態を示し、（ａ）は外観図、（ｂ）は内側から見た斜視図である。
【図５】２段に積み重ねた図１の状態で、箱状フレームの中間に配置された２本の横棒状部材を取り外した状態を示す斜視図である。
【発明を実施するための形態】
【００１１】
以下、本発明を具体化した実施の形態を、図面を参照して詳細に説明する。図１は本発明に係る高圧受電設備用フレームの一例を示し、２つの箱状フレーム１（１ａ，１ｂ）を積み重ねて受電設備を収容した状態を示している。図１（ａ）は正面図、図１（ｂ）は側面図である。
上段の箱状フレーム１ａ及び下段の箱状フレーム１ｂは、底枠２及び天枠３の形状は同一であるが、下段の箱状フレーム１ｂの収容する機器に合わせて上段の箱状フレーム１ａより高く形成されている。そして高圧受電設備用フレームは、この箱状フレーム１に図１に示すように機器組み付けのための部材を取り付けたり補強部材の装着等必要な加工をして形成される。
【００１２】
下段の箱状フレーム１ｂには、変圧器（電力需給用計器用変圧変流器）１０が収容され、前面には計器が取り付けられた計器板１１が取り付けられた状態を示している。一方、上段の箱状フレーム１ａには高圧交流負荷開閉器１２が取り付けられた状態を示している。
尚、双方の箱状フレーム１ａ、１ｂは同一の構成で直方体形状であるが、下段の箱状フレーム１ｂは変圧器１０を収容するために底枠が補強されている。
【００１３】
図２はＡ部拡大図を示し、（ａ）は正面図、（ｂ）は箱状フレーム１内部から見た斜視図である。この図２に示すように、箱状フレーム１は角部にコーナー金具６が配置され、金属製の棒状部材５がこのコーナー金具６の外側にボルト１３により締着されている。
但し、図２（ｂ）では、下段の箱状フレーム１ｂのコーナー金具６にはボルト１３により棒状部材５をコーナー金具６に固定した状態を示しているが、上段の箱状フレーム１ａのコーナー金具６は棒状部材５を締着するボルトを省略してある。この図２（ｂ）に示すように、コーナー金具６は箱状フレーム１の側方に向けられる面のボルト挿通孔１５にはナット１４が固着されており、ボルト１３による締着操作を容易にしている。
【００１４】
図３はコーナー金具６を示し、（ａ）は斜視図、（ｂ）はコーナー金具６に棒状部材５を配置した説明図である。コーナー金具６は、鋼板を折り曲げて略三角錐形状に形成され、３面から成る棒状部材取付面（第１面６ａ，第２面６ｂ，第３面６ｃ）を備えている。尚、箱状フレーム１の左右或いは前後において、対向するように配置されるコーナー金具６は対称形状となっている。
【００１５】
ここで、棒状部材５とコーナー金具６との連結形態を具体的に説明する。まず、棒状部材５は、断面Ｌ字状に折り曲げられて直交する２辺を有する金属製のアングル材であり、底枠２と天枠３の間に配置される縦棒状部材５１は、両端にそれぞれ４個（各辺に２個）の連結孔が穿設されている。一方、底枠２、天枠３を形成する横棒状部材５２は、３個（下面或いは天面に配置される一方の辺に１個、側方に向けられる他方の辺に２個）の連結孔が穿設されている。
【００１６】
そして、コーナー金具６の第１面６ａは、箱状フレーム１の天面或いは底面に向けられる面であり、この面には横方向に配設された横棒状部材５２を締着するためのボルト挿通孔１５（１５ｂ）が、１つの棒状部材５に対して１つ穿設され、計２つ穿設されている。  また、このボルト挿通孔１５ｂは、重ねられた箱状フレーム１同士を連結する孔でもあり、図２（ｂ）に示すようにナット１４は固着されていない。
尚、第１面６ａに設けられた２つのボルト挿通孔１５ｂは異なる径で形成されているが、同一であっても良い。
【００１７】
また、コーナー金具６の側面方向に向けられる第２面６ｂ及び第３面６ｃには、横方向に配設される横棒状部材５２の他方の辺を固着するためのボルト挿通孔１５（１５ａ）が、２個ずつ設けられている。そして、下部には縦棒状部材５１を連結するボルト挿通孔１５がそれぞれの辺に２個ずつ開けられ、縦棒状部材５１は４箇所がボルト１３により締着される。
【００１８】
図４は図３（ｂ）の状態から各棒状部材５をコーナー金具６に締着した状態を示し、（ａ）は外観図、（ｂ）は内側からみた斜視図である。図４に示すように、個々の棒状部材５は重ね合わせられること無くコーナー金具６に締着される。
横棒状部材５２は、上述したように天面或いは底面に配置される辺にそれぞれ１個の連結孔１６ｂが穿設され、側方を向く辺には２個の連結孔１６ａが穿設されているが、図４に示すように天面（及び底面）はボルト１３による締着は行わず、側面側が２つのボルト１３で連結されて箱状フレーム１は作製される。そして、この連結の際、何れの棒状部材５も重なること無くコーナー金具６に締着される。
【００１９】
その後、箱状フレーム１同士が積み重ねられたら、密着する天枠３と底枠２とが、ボルト１３をボルト挿通孔１５ｂに貫通させて、図示しないナットを用いて締着される。
こうして、図２（ｂ）に示すように積み重ねた下段の天枠３と上段の底枠２とがボルト１３で連結される。但し、図２（ｂ）では一方のボルト挿通孔１５ｂのみボルトを取り付けた状態を示している。
【００２０】
図５は、箱状フレーム１を積み重ねた図１の状態で、一部の棒状部材５を取り外した斜視図を示している。具体的に、積み重ねた２つの箱状フレーム１の中間に位置する下段の天枠３と上段の底枠２を構成する前面側２本の横棒状部材５２を外した状態を示している。この取り外しは、横棒状部材５２の前面側の辺を固定した左右４箇所のボルト１３、及び天面側（或いは底面側）の辺を固定したボルト１３、即ち天枠３と底枠２とを連結した左右２箇所のボルト１３を取り外し、必要に応じて同一のコーナー金具６に締着されている他のボルト１３を緩めることで実施される。
【００２１】
このように、棒状部材５はコーナー金具６の外側に取り外し可能に連結されているため、高圧受電設備を収容した状態でも棒状部材５の取り外しが可能である。そのため、収容した設備機器の交換を行う際に邪魔になる棒状部材５があったら、その棒状部材５を取り外して作業することが可能であり、上段の箱状フレーム１ａを分離する面倒な作業をしなくても交換が可能となる。
また、コーナー金具６に対して連結した棒状部材５同士は重ならないため、何れの棒状部材５も容易に取り外すことができる。また、コーナー金具６の各連結部の厚みを均一にでき、箱状フレーム１を安定した状態で重ねることができる。
更に、箱状フレーム１を重ねた際に箱状フレーム１同士の連結を棒状部材５の連結と共に実施できるため、別途箱状フレーム１の連結のための連結部材が必要なく、容易に連結できる。
【００２２】
尚、上記実施形態では、箱状フレーム１の前面側の横棒状部材５２を取り外した状態を示しているが、取り外すのは側面の横棒状部材５２であっても良いし、上段の箱状フレーム１ａの天枠３を構成する横棒状部材５２を取り外しても良い。また、上段であれば、縦棒状部材５１を取り外すことも可能である。
また、棒状部材５を直交する２辺を有する断面Ｌ字状のアングル材としたが、断面コ字状の鋼材でも良いし、平板の鋼板でも良い。
【符号の説明】
【００２３】
１・・箱状フレーム、２・・底枠、３・・天枠、５・・棒状部材、６・・コーナー金具、１３・・ボルト（連結手段、フレーム連結手段）、１４・・ナット、１５，１５ａ，１５ｂ・・ボルト挿通孔、１６，１６ａ，１６ｂ・・連結孔、５１・・縦棒状部材、５２・・横棒状部材。
【図１】
2019068689.tif 000003
【図２】
2019068689.tif 000004
【図３】
2019068689.tif 000005
【図４】
2019068689.tif 000006
【図５】
2019068689.tif 000007